(57)【要約】【課題】  皮膚面を保護して深剃りが可能となり、刃体の腰の強さが向上し、しかも皮膚面に対する刃体の横滑りによる皮膚の切傷の発生を未然に回避できるようにする。【解決手段】  皮膚面Ｒに対して仰角となる切断端部６を刃先部先端に屈曲形成する。切断端部６は、例えば長さが約０．１ｍｍ〜３．０ｍｍであり、皮膚面Ｒからの仰角は皮膚面Ｒに対して約１°から３０°として構成する。刃体Ｐは、柄４と一本刃状に形成する長柄構造としたり、柄４を備えた刃台２と天板３との間に挟着し、刃体Ｐの刃先部前方に皮膚面Ｒと接触するガード部５が横長に延在して成る安全剃刀構造としたりする。安全剃刀構造とするとき、切断端部６は、ガード部５の皮膚接触面の延長線に対し刃先部の根元横長部分を刃台２側に向けて折り曲げた屈曲部６Ａを介して形成する。【選択図】      図２
2006075453.tif 000002
【特許請求の範囲】
【請求項１】
皮膚面の体毛を刃体の刃先部によって剃毛する剃刀において、皮膚面に対して仰角となる切断端部を刃先部先端に屈曲形成したことを特徴とする剃刀。
【請求項２】
切断端部は、長さが約０．１ｍｍ〜３．０ｍｍであり、皮膚面からの仰角は皮膚面に対して約１°から３０°である請求項１に記載の剃刀。
【請求項３】
刃体は、柄と共に一本刃状に形成されている請求項１または２に記載の剃刀。
【請求項４】
刃体は、柄を備えた刃台と天板との間に挟着され、刃体の刃先部前方に皮膚面と接触するガード部が横長に延在されて成る請求項１または２に記載の剃刀。
【請求項５】
切断端部は、ガード部の皮膚接触面の延長線に対し刃先部の根元横長部分を刃台側に向けて折り曲げて成る屈曲部を介して形成されている請求項４に記載の剃刀。
【請求項６】
剃り方向に沿って複数で配列された剃刀において、剃り方向の前後における刃先部先端の切断端部の仰角は、剃り方向の前部側では大きく、後部側では次第に小さく設定してある請求項１乃至５のいずれかに記載の剃刀。
【請求項７】
皮膚面に対して仰角となる切断端部を刃体の刃先部先端に備える剃刀を製造する方法において、刃先部に対する押し当て材の圧接によって刃先部先端を強制的に押し曲げて形成した屈曲部を介して切断端部を形成することを特徴とした剃刀の製造方法。
【発明の詳細な説明】
【技術分野】
【０００１】
本発明は、髭や脇毛等の体毛を剃るときに用いられ、皮膚面を損傷させることなく円滑に使用可能とした剃刀及びその製造方法に関する。
【背景技術】
【０００２】
剃刀の使用に際し、重要な要素は剃り角度と刃先の露出量である。例えば従来から使用されている剃刀にあっては、刃体先端の刃先部が刃体からそのまま直線的に形成されている直線刃の場合、図７に示すように、剃り角度が皮膚面Ｒに対して立てられているように大きければ刃先が大きな角度で皮膚に当たるため髭その他の体毛Ｑを根元から剃る所謂深剃りを行うことができる。しかしながら、皮膚面Ｒに対する剃り角度が大き過ぎると当該皮膚面Ｒに対する刃先の接触抵抗が増大し、また皮膚面上を滑る刃体Ｐによって皮膚面Ｒが押し付けられ、扱かれる結果、特に髭等の体毛Ｑが生えている部位では、その体毛Ｑが抵抗部分となって体毛Ｑ自体の根元部分が膨らんだ状態となり、この膨らんだ皮膚を刃先で擦過するように切断し、傷付けることで出血させる虞れがある。
【０００３】
このような皮膚面Ｒに生じる抵抗は、体毛Ｑが生えている部位のみならず、体毛Ｑが無い部位においても同様に発生しており、皮膚表面抵抗によって刃先が皮膚面Ｒを掘り起こすように移動進行するために、皮膚面Ｒそのものを損傷するのである。
【特許文献１】特になし。
【発明の開示】
【発明が解決しようとする課題】
【０００４】
また、従来では、刃体Ｐ自体が約０．０１〜０．５ｍｍ程度と非常に薄く、刃体Ｐの根元部分が軟弱で腰が弱くて撓み易くなるため、髭や脇毛等の体毛Ｑに対する切れ味が非常に劣るものとなる。しかも、体毛Ｑの根元部分から切断するよう深剃りを行う場合に、刃体Ｐを皮膚面Ｒに強く押し付けて滑らせても体毛Ｑの根元部分をかえって膨らませた状態とし、上述したようにこの膨らんだ皮膚面Ｒを擦過してしまうために皮膚面Ｒを傷つけ、いわゆるヒリヒリ感を生じさせる。さらには刃体Ｐが皮膚面Ｒ上を横滑りした場合には、当該皮膚面Ｒに切傷を生じさせてしまう。更には体毛Ｑに対して刃体Ｐが直角で切断しないため、体毛Ｑの切断縁片の一部が皮膚面Ｒから若干突出して残留した状態となり、皮膚面Ｒがチクチクとした違和感のある肌触りとなってしまう。いずれにしても、刃体Ｐによる体毛Ｑの切断に際し、刃体Ｐを皮膚面Ｒに対してある程度の角度で立てられた状態として皮膚面Ｒ上で滑らせるから、刃体Ｐの切断力方向と刃体Ｐを滑らせる方向とが合致せず、そのために皮膚面Ｒに生じる抵抗によって皮膚面Ｒ自体を損傷させることは止むを得ないものとされていた。
【０００５】
そこで本発明は叙上のような従来存した諸事情に鑑み創出されたもので、皮膚面に刃先部先端が直接に接触することなく、髭等の体毛を剃ることができ、しかも容易に深剃りもできて皮膚面を損傷せずに保護したものとできると共に、刃体の腰の強さを向上でき、皮膚面に対する刃体の横滑りによる切傷の発生をも未然に回避でき、更には皮膚面の古い角質分をも除去できるようにした剃刀及びその製造方法を提供することを目的とする。
【課題を解決するための手段】
【０００６】
上述した課題を解決するため、本発明にあっては、皮膚面Ｒの体毛Ｑを刃体Ｐの刃先部によって剃毛する剃刀１において、皮膚面Ｒに対して仰角となる切断端部６を刃先部先端に屈曲形成したものである。
また切断端部６は、長さが約０．１ｍｍ〜３．０ｍｍであり、皮膚面Ｒからの仰角は皮膚面Ｒに対して約１°から３０°であるものとして構成できる。
刃体Ｐは、柄４と共に一本刃状に形成されている長柄構造のものとしたり（図３参照）、柄４を備えた刃台２と天板３との間に挟着され、刃体Ｐの刃先部前方に皮膚面Ｒと接触するガード部５が横長に延在されて成る安全剃刀構造のものとしたり（図１参照）することができる。
更に安全剃刀構造のものとするとき、切断端部６は、ガード部５の皮膚接触面の延長線に対し刃先部の根元横長部分を刃台２側に向けて折り曲げて成る屈曲部６Ａを介して形成されているものとすることができる。
また、剃り方向に沿って複数で配列された剃刀１Ａ，１Ｂにおいて、剃り方向の前後における刃先部先端の切断端部６の仰角θは、剃り方向の前部側では大きく、後部側では次第に小さく設定してすることができる。具体的には、剃り方向に沿って剃刀１を複数で配列構成するとき、剃り方向の前後における前部側の剃刀１Ａの刃先部先端の切断端部６の仰角θ１は、剃り方向の後部側の剃刀１Ｂの刃先部先端の切断端部６の仰角θ２に比し大きく設定するのであり、剃り方向の前部側から後部側の剃刀１に至るに伴い切断端部６のの仰角θを次第に小さくするのである。
一方、皮膚面Ｒに対して仰角となる切断端部６を刃体Ｐの刃先部先端に備える剃刀１を製造する方法において、刃先部に対する押し当て材８の圧接によって刃先部先端を強制的に押し曲げて形成した屈曲部６Ａを介して切断端部６を形成するものである。
【０００７】
以上のように構成された本発明に係る剃刀１にあって、切断端部６は、髭等の体毛Ｑを剃るのに際し、屈曲部６Ａが皮膚面Ｒに当接された状態で、皮膚面Ｒから突出している体毛Ｑの根元部分よりも若干上側に刃先を当接させるため、刃体Ｐによって皮膚面Ｒが押し付けられて体毛Ｑの根元部分が膨らんだ状態となっても当該皮膚面Ｒに対する刃先の食い込みを阻止させて、体毛Ｑを切断させる。
すなわち、切断端部６は、長さＬが約０．１ｍｍ〜３．０ｍｍで、皮膚面Ｒからの仰角が皮膚面Ｒに対して約１°〜３０°の範囲にあるため、刃先は皮膚面Ｒに直接に触れずに屈曲部６Ａが皮膚面Ｒに押圧した状態で、刃先が体毛Ｑに対して略直角に当接すると同時に、剃るための移動方向と刃先の切れる方向とを略同じにさせるものとなり、体毛Ｑを確実に切断する。
また、刃体Ｐと柄４との一本刃状形成は長柄構造のものとさせ、一方、柄４を備えた刃台２と天板３との間に挟着され、刃体Ｐの刃先部前方に皮膚面Ｒと接触するガード部５が横長に延在されて成ることで安全剃刀構造のものとさせる。
一方、本発明に係る剃刀１の製造方法にあって、刃先部に対する押し当て材８の圧接は、刃先部先端を所定角度で屈曲させ、屈曲部６Ａを介する切断端部６を形成させる。
【発明の効果】
【０００８】
本発明によれば、皮膚面Ｒを保護した状態で容易に深剃りを行うことができると共に、刃体Ｐの腰の強さを向上することができ、しかも皮膚面Ｒに対する刃体Ｐの横滑りの場合における皮膚への切傷の発生を未然に回避できるばかりでなく、皮膚面の古い角質分をも容易に除去でき、ひいてはいわゆる化粧の乗りも良好なものとする。
【０００９】
すなわちこれは本発明が、皮膚面Ｒに対して仰角となる切断端部６を刃先部先端に屈曲形成したからであり、これにより、皮膚面Ｒに接触させて体毛Ｑを剃るに際し、切断端部６の基部が皮膚面Ｒ上を滑り、また体毛Ｑの手前部分を膨らませても、体毛Ｑの根元部分よりも若干上側に刃先を当接させることになり、当該体毛Ｑを容易に切断できるものとなって皮膚面Ｒを保護した状態で容易に深剃りを行うことができる。
【００１０】
また切断端部６は、屈曲部６Ａの介在により、これが皮膚面Ｒに直接に接触するから皮膚面Ｒ上をスムーズに移動し、滑らかな肌触りとすることができると共に、体毛Ｑに対する切断端部６による切断面が皮膚面Ｒに対して略平行な状態となり、体毛Ｑの切断方向が当該体毛Ｑに対して略直角となり、しかも剃るときの移動方向と刃先による切断方向とが略同じとなるため、濃薄にかかわらず体毛Ｑをスムーズに剃ることができる。
【００１１】
屈曲部６Ａを介して屈曲形成された切断端部６は、例えば平板状である従来の刃先に比して、刃体Ｐ自体の縦幅方向に対する腰の強さを付与できると共に、皮膚面Ｒに対して刃体Ｐが横滑りしても、当該刃体Ｐの刃先部である切断端部６が皮膚面Ｒに対して仰角状態の若干上向きに配置されているため、皮膚面Ｒへの切傷の発生を未然に回避させることができる。
【００１２】
また、切断端部６の長さＬが約０．１ｍｍ〜３．０ｍｍの範囲にあり、皮膚面Ｒからの仰角が約１°〜３０°の範囲にあるものとしたので、刃先は皮膚面Ｒに直接触れずに屈曲部６Ａを皮膚面Ｒに押圧した状態で、切断端部６の刃先が体毛Ｑに対して略直角に当接するものとなるため、これによって、皮膚面Ｒを保護した状態での深剃りが可能となり、しかも皮膚の弱い人による剃刀負け等を防止することができる。
【００１３】
さらに、刃体Ｐは、柄４と一本刃状に形成されている長柄構造のものとしたり、柄４を備えた刃台２と天板３との間に挟着され、刃体Ｐの刃先部前方に皮膚面Ｒと接触するガード部５が横長に延在されて成る安全剃刀構造のものとしたり等のいずれの形態のものとしても利用でき、その使用態様は特に限定されるものではない。
【００１４】
また、剃刀１が複数枚で剃り方向の前後に沿って構成配置されるとき、剃り方向の前部側の剃刀１Ａが先ず最初に体毛Ｑを切断し、次いで後部側の剃刀１Ｂが体毛Ｑを切断するから、皮膚面Ｒによる抵抗を抑制して１枚目の剃刀１Ａで長めに切断し、次いで第２枚目以降の剃刀１Ｂが更に短く切断し、一層の深剃りを可能にさせるのである。
【００１５】
安全剃刀構造としたときの刃台２、天板３、ガード部５、刃体Ｐそれぞれの両側は、前方に屈曲もしくは湾曲されて成るものとすることで、切断端部６の刃先を皮膚面Ｒに押し当てた際に、刃先全体が撓まずに均一な状態で皮膚面Ｒに当接配置されるものとなり、確実な深剃りが可能となる。
【００１６】
また、刃体Ｐの刃先部に対する押し当て材８の圧接によって刃先部先端を強制的に押し曲げるようにして形成した屈曲部６Ａを介して切断端部６を形成するので、皮膚面Ｒを保護した状態で容易に深剃りを行うことができる剃刀１を容易で且つ安価に製造することができる。
【００１７】
尚、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１８】
以下図面を参照して本発明を実施するための最良の一形態を説明すると、図において示される符号１は、例えば髭や脇毛等の体毛Ｑを剃るときに用いる剃刀であり、剃刀本体である刃体Ｐの刃先部に屈曲部６Ａを介して切断端部６を形成して成る。そして、この剃刀１自体は、例えば図１、図２に示すように、柄４を備えた刃台２とこの刃台２に被さる天板３との間に挟着されることで例えば安全剃刀として構成される。これらの図１、図２にあっては二枚刃構造となるように、重ねられた下の刃体Ｐの刃縁よりもその上の刃体Ｐの刃縁を後退させて成るものとしてある。
【００１９】
尚、安全剃刀は二枚刃構造とする替わりに、単なる一枚刃構造としても良く、あるいは三枚刃以上の複数枚刃構造としても良い。例えば三枚刃構造の場合は、上刃体、中刃体、下刃体それぞれの順にスペーサ７を介して重ねて成る刃体Ｐを刃台２と天板３との間に挟着して成るものとすれば良い。
【００２０】
そして、この安全剃刀構成の両刃体Ｐの刃先前方には、皮膚面Ｒと接触する皮膚接触面を備えたガード部５が横長に延在して形成され、さらに両刃体Ｐの間には当該刃体Ｐ相互の間隔を常に保持しておくためのスペーサ７が介在されている。このスペーサ７は、両刃体Ｐ間で前後にスライド可能としてあり、安全剃刀の使用後において両刃体Ｐ間に進入された切断髭または切断脇毛等の切断された体毛Ｑを、後端の操作突起７Ａによってスペーサ７を前方に押し出すことで除去できるようにしてある。
【００２１】
図２に示すように、剃刀１自体は、その刃体Ｐの刃先部先端に、皮膚面Ｒに対して仰角となる切断端部６が刃台２側に向けて略への字形状に折り曲げられた状態となるようにして屈曲部６Ａを介して形成されている。すなわち図４に示すように、切断端部６の屈曲方向は、皮膚面Ｒに略傾斜してあてがわれる刃体Ｐの刃面中心線Ｔに対し皮膚面Ｒよりも上側に向くようにしてある。こうすることで、例えば体毛Ｑを剃る際に、刃体Ｐが皮膚面Ｒを押し付けて体毛Ｑの根元部分が膨らんだ状態となっても当該皮膚面Ｒに対し切断端部６が直接に接触しないようにしてある。尚、屈曲部６Ａは、特にその外側面において鈍角面状に屈曲せずに湾曲面状に形成されることもあり、皮膚面Ｒへの接触良好性を図る上では後者のように湾曲面状に形成されることが好ましい。
【００２２】
具体的には、切断端部６自体の長さＬを約０．１ｍｍ〜３．０ｍｍの範囲とし、且つ切断端部６が皮膚面Ｒに対して一定の仰角となるように、刃面中心線Ｔを基準とした屈曲部６Ａにおける屈曲角度θを例えば約１°〜３０°の角度範囲に設定してある。これらの切断端部６の長さＬ、屈曲角度θの設定は適宜に組合せてなされるもので、一般的には、長さＬが長い場合には屈曲角度θが小さく、長さＬが短い場合には屈曲角度θが大きくされるように組み合わせられる。例えば切断端部６の長さＬを約０．１ｍｍと短い場合には屈曲部６における屈曲角度θを急峻な角度の約３０°とし、長さＬを約３．０ｍｍと長い場合には屈曲部６における屈曲角度θを緩い角度の約１０°等として構成することで、皮膚面Ｒをガードしながらの深剃りが可能となるようにしてある（図４参照）。
【００２３】
また安全剃刀において、剃刀１が複数枚で構成配置されるとき、図５に示すように先ず最初に体毛Ｑを切断する１枚目の剃刀１Ａの切断端部６は仰角θ１をやや大きくし、２枚目以降の剃刀１Ｂにおける切断端部６は１枚目の剃刀１Ａに比し、順次にその仰角θ２を次第に小さくなるように設定しておく。こうすることで、１枚目の剃刀１Ａでは髭等の体毛Ｑを皮膚面Ｒによる抵抗を抑制し、皮膚面Ｒに対する食い込みを防止して体毛Ｑを長めに切断し、次いで、第１枚目の剃刀１Ａに比し仰角が小さい第２枚目以降の剃刀１Ｂがその切断した体毛Ｑを更に短く切断する。すなわち２枚目以降の剃刀１Ｂでは体毛Ｑに対してやや直角に当たるようになり、一層の深剃りを可能にさせるのであり、３枚目更には４枚目以降の剃刀１が皮膚面Ｒを損傷させることなく、深剃りを可能にさせ、複数枚構造とすることで目詰まりを防止して安定した長期使用を可能にさせることもできる。尚、複数枚で配列する剃刀構成において、必要があればその剃刀１（１Ａ，１Ｂ…）相互の配列間隔の幅員、皮膚面Ｒに対する切断端部６（屈曲部６Ａ）の押し込み深さが異なるようにその高さ、切断端部６自体の長さ等を異なるようにすることも可能である。
【００２４】
こうした所定の仰角θを備えた切断端部６の形成は、刃体Ｐの刃先部における根元横長部分を、例えば剛性の丸棒等で押し当てながら当該根元横長方向に沿ってスライド移動させることで刃台２側に向けて略への字形状に折り曲げられることで形成されるもので、例えば刃先部に対してロールフォーミング式に扱くようにして形成される。すなわち、刃台２の刃先に対する二次加工によって切断端部６を形成するのであり、こうした二次加工によって得られた切断端部６は再研磨が実質的には困難であるために、通常はいわゆる使い捨てとされる。
【００２５】
また図６（ａ）に示すように、刃体Ｐの刃先部に対して屈曲側と反対側から例えば丸棒材またはクサビ等の押し当て材８を押し当て、刃先部に対して所定の角度で宛いながらその押し当て材８をスライドさせることで行うのであり、刃先部自体を反対側に強制的に押し曲げるようにして屈曲部６Ａを介して切断端部６を形成する。
【００２６】
切断端部６の形成の他の方法としては、図６（ｂ）に示すように、中央円周上に沿って窪みを有する略鼓状に形成された押し当て材８の当該窪みを刃先部上側から押し当ててスライドさせたり、あるいは図６（ｃ）に示すように、互いに接触して回転する一対のローラー状の回転部材９に切断端部６の形状に沿うフォーミング部９Ａを形成しておき、このフォーミング部９Ａに刃先部を挿通させるロールフォーミング法によるものとしたりしても良い。また図６（ｄ）に示すように、回転部材９例えば回転研磨材の回転する外周面に刃先部を押し当て、回転方向に沿って強制的に屈曲させたり、図６（ｅ）に示すように、Ｖ字型の溝部を有するプレス下型１０上に載置した刃先部に対してプレス上型１１を押し付けることで屈曲させたりしても良いのである。
【００２７】
また図示を省略したが、安全剃刀においての刃台２、天板３、ガード部５、刃体Ｐ夫々の両側を前方に鶴翼状に若干屈曲させるかもしくは円弧状に湾曲して形成することにより、前記切断端部６による刃体Ｐの縦幅方向に対する腰の強さに加えて、当該刃体Ｐの横幅方向に対する腰の強さを同時に付与させることで、深剃りが容易な安全剃刀とすることも可能である。
【００２８】
図３においては、柄４と共に一本刃状に構成することで全体が長柄構造となる場合の実施の形態が示されており、この実施の形態における柄４は場合によっては、刃体Ｐに対して折り畳み自在にし、溝状に形成した柄４の溝部内に体Ｐを収納できるようにすることもある。さらには図示を省略したが、刃体Ｐの表裏が反転するように、刃体Ｐの支持部分がこれの中央部を支点として前後に回転したり、あるいは柄４に対して剃刀１自体の支持部分を左右を逆にして交換自在に着脱式に連結することで、柄４に対して刃体Ｐ表裏を反転できるようにしたりして構成することもある。こうすることで、屈曲部６Ａを介して形成される切断端部６の皮膚面Ｒに対する切断方向を使用に際する左右勝手に対応して選択できるようにしておく。
【００２９】
次に、上記した構成における使用例について説明すれば、安全剃刀の使用にあって、ガード部５の皮膚接触面を皮膚面Ｒに接触させて体毛Ｑを剃るのに際し、図４に示すように屈曲部６が皮膚面Ｒに当接することで皮膚面Ｒを盛り上げても、皮膚面Ｒに対して仰角状態にある切断端部６の先端は皮膚面Ｒから突出している体毛Ｑの根元部分に当たり、その状態で柄４を手指で引くと体毛Ｑを根元部分から切断して体毛Ｑを剃る。
【００３０】
体毛Ｑの切断に際し、切断端部６では、長さＬが約０．１ｍｍ〜３．０ｍｍであり、皮膚面Ｒからの仰角は皮膚面Ｒに対して約１°から３０°であるから、その刃先が皮膚面Ｒに直接に触れずに屈曲部６Ａが皮膚面Ｒを押圧し、切断させようとする体毛Ｑの手前を盛り上げても当該刃先が体毛Ｑに対して略直角に当接する状態となる。
【００３１】
また刃体Ｐ自体を皮膚面Ｒに対して適当な角度に設定して宛うことで、切断端部６自体を皮膚面Ｒに対してほぼ平行状態に維持して滑らせることもでき、皮膚面Ｒを鋭利な刃先で削るようにようなこともなく、体毛Ｑのみを切断することもできる。
【００３２】
こうすることで刃体Ｐに設けられた屈曲部６Ａの存在によって剃刀１自体の皮膚面Ｒに対する食い込みを防止しながらの体毛Ｑの深剃りが可能な状態となる。しかも、屈曲部６Ａを介して切断端部６が皮膚面Ｒに対して仰角となっているため、皮膚面Ｒに対する抵抗が少なくて滑りが良好となり、このため従来の直線刃等のように皮膚面Ｒに対する大きな接触抵抗が存在することによって皮膚面Ｒを大きく持ち上げて切傷を発生させるような虞れもなく、屈曲部６Ａの存在によって、刃体Ｐの縦幅方向に対する腰の強さも付与され、濃い髭等であっても円滑に切断できる。
【００３３】
また皮膚面Ｒに対して所定の角度で切断端部６を宛うように滑らせることで、皮膚面Ｒにおける古い角質分等を除去するのであり、皮膚面Ｒに対してダメージを与えることなく、その新陳代謝を図れると共に、いわゆる化粧の乗りも良好なものとなる。
【産業上の利用可能性】
【００３４】
本発明は、剃刀１の刃先における切断端部６構造についてのものであるも、かかる着想は手動式に使用される剃刀１に実施される場合に限らず、本体の内刃が回転ないしは往復振動して髭等を剃る機械式の剃刀例えば電動またはゼンマイ駆動式等のカミソリにおける内刃の刃先、すなわちその内刃の刃先端縁に仰角を備えた切断縁部を張り出し状に形成する等によっても応用可能である。
【図面の簡単な説明】
【００３５】
【図１】本発明を実施するための最良の形態における安全剃刀として構成した場合の一部切欠斜視図である。
【図２】同じく安全剃刀の断面図である。
【図３】他の実施の形態における一部の拡大図を含む斜視図である。
【図４】本発明に係る剃刀の剃り原理を説明する概略側断面図である。
【図５】本発明に係る複数の剃刀が、その屈曲角度が異なって配列された場合による剃り原理を説明する概略側断面図である。
【図６】刃先部における切断端部の形成方法を示すもので、（ａ）は丸棒材またはクサビ等の押し当て材を使用した場合の斜視図、（ｂ）は鼓状に形成された押し当て材を使用した場合の斜視図、（ｃ）は一対の回転部材を使用した場合の斜視図、（ｄ）は回転部材に押し当てて形成する場合の側面図、（ｅ）はプレス型による場合の斜視図である。
【図７】従来における直線状の刃先を備えた安全剃刀の剃り原理を説明する断面図である。
【符号の説明】
【００３６】
Ｐ…刃体                                Ｑ…体毛
Ｒ…皮膚面                              Ｔ…刃面中心線
１，１Ａ，１Ｂ…剃刀                    ２…刃台
３…天板                                ４…柄
５…ガード部                            ６…切断端部
６Ａ…屈曲部                            ７…スペーサ
７Ａ…操作突起                          ８…押し当て材
９…回転部材                            ９Ａ…フォーミング部
１０…プレス下型                        １１…プレス上型
【図１】
2006075453.tif 000003
【図２】
2006075453.tif 000004
【図３】
2006075453.tif 000005
【図４】
2006075453.tif 000006
【図５】
2006075453.tif 000007
【図６】
2006075453.tif 000008
【図７】
2006075453.tif 000009